(57)【要約】      （修正有）【課題】服装の色合い、ＴＰＯや、その日の気分に合わせて変化を楽しむために、複数個の装身具を有したと同様のバリエーション豊かな装飾効果をもたらすスライドによるコンビネーション装身具を提供する。【解決手段】複数個のピースをリングで連結した固定ピース４，５と、固定ピースの外側を自在に移動するスライドピース３を設けた装身具１において、固定ピースのみを複数個連結した部分を設けたことを特徴とする。【選択図】図１
0003194596.tif 000002
【実用新案登録請求の範囲】
【請求項１】
複数個のピースをリングで連結した固定ピースと、該固定ピースの外側を自在に移動するスライドピースを設けた装身具において、固定ピースのみを複数個連結した部分を設けたことを特徴とするスライドによるコンビネーション装身具。
【請求項２】
複数個のピースが連結する装身具において、該ピース間を大リングと小リングとで交互に連結した固定ピースと、該小リングと固定ピースの外側を自在に移動するスライドピースを設け、該スライドピースは大リングと大リングの間のスライドピースの可動域を自在に移動するスライドによるコンビネーション装身具。
【請求項３】
固定ピースは複数個を連結した部分を設けた請求項２に記載のスライドによるコンビネーション装身具。
【請求項４】
小リングは楕円状であるスライドによる請求項２又は請求項３記載のコンビネーション装身具。
【請求項５】
コンビネーション装身具は、ネックレス、ブレスレット等である請求項２乃至４記載のコンビネーション装身具。
【考案の詳細な説明】
【技術分野】
【０００１】
本考案は、スライドする装飾ピースを用いたコンビネーション装身具に関するものである。
【背景技術】
【０００２】
ネックレスやブレスレット等の装身具は、服装の色合い、ＴＰＯや、その日の気分に合わせて変化を楽しみたいものである。
【０００３】
そのため、従来は、複数の装身具をそれぞれの服等に合わせて購入しておき、バリエーションを増やす必要があった。
【０００４】
しかし、そのために通常使用しない装身具をいくつも所有することとなり、費用や保管場所が必要である等の問題があった。
【０００５】
下記特許文献１には、複数の装飾体を中通し材２６で構成することにより、形状及び、色が変化するネックレス、ブレスレット、耳飾り等の装身具において、さりげなく形状及び、色の変化が楽しめ、長年の使用にも耐え得る、趣味性を向上させた装身具用装飾体２０が開示されている。
【０００６】
具体的には、図７から図１１に示すように、中通し材２６を通したパイプ材である内部体２１と、該内部体２１と色が異なる内部体２２に、該内部体２１、２２より若干長い内部体２２と色が同色のパイプ材である外部体２３を通し、前記内部体２１、２２の両端に中通し材２６を通す貫通孔を有した前記外部体２３の内径より大きい外径の殻体２４、２５を用いて装身具用装飾体を構成し、前記殻体２４、２５にて外部体２３の抜け出しを防止することで、着用時に外部体２３が内部体２１、２２上をスライド移動することにより形状及び、色が変化するものである。
【０００７】
下記特許文献２には、装飾用アクセサリーとして、上下方向反転させることにより装飾に変化をもたらし、装飾的美観をより一層向上させることができるアクセサリーが開示されている。
【０００８】
具体的には、図１２、図１３に示すように、多数の細長部品３１を結合部材３５を介して長尺状に連結させた装飾材（ネックレス３０）であり、この装飾材（ネックレス３０）の各細長部品３１は、長さ方向における片側半分の色彩若しくは模様３２を残り半分の色彩若しくは模様３３と異なり、細長部品３１の各結合部材３５・３５間には、上記細長部品３１の長さの略半分の長さであって、細長部品３１の周面を覆う管状部材３４を、細長部品３１に沿って自重により長さ方向にスライド自在にそれぞれ遊嵌させており、これにより細長部品３１の片側半分に施した色彩若しくは模様３２と異なる色彩若しくは模様３３が一斉に表現される結果、独特の装飾的美観を呈する。
【先行技術文献】
【特許文献】
【０００９】
【特許文献１】実用新案登録第３１０１１８４号公報（「装身具用装飾体」）
【特許文献２】実用新案登録第３１０３４８３号公報（「アクセサリー」）
【考案の概要】
【考案が解決しようとする課題】
【００１０】
しかし、前記特許文献１の考案にかかる装身具用装飾体は、中通し材が必要であり、内部体、外部体、殻体を単独で連結することができず、該装身具用装飾体により簡便に装身具を製作することはできなかった。
【００１１】
また、前記特許文献２の考案にかかるアクセサリーも同様に、ワイヤー等で細長部品、管状部材、結合部材を繋ぐ必要があり、該部品や部材を単独でつなぐことができなかったため、自在に該アクセサリーを製作することはできなかった。
【課題を解決するための手段】
【００１２】
本考案者らは、上記課題を解決する為に鋭意努力した結果、上記の問題点を解決し、本考案を完成した。すなわち、本考案の要旨は、次のとおりである。
【００１３】
請求項１記載の本考案は、複数個のピースをリングで連結した固定ピースと、該固定ピースの外側を自在に移動するスライドピースを設けた装身具において、固定ピースのみを複数個連結した部分を設けたことを特徴とするスライドによるコンビネーション装身具を要旨とするものである。
【００１４】
請求項１記載の本考案によれば、固定ピース間をリングで連結することにより、ワイヤー等の中通し材を使用せずとも自由に固定ピースを連結して、自在に装身具を製作することができる。
【００１５】
さらに、固定ピースのみを複数個連結した部分を設けたことにより、該部分にはスライドピースがないため、コンビネーション装身具を身に着けた場合、該連結部分は首の後ろで固定することができ、また、スライドピースが左右に移動することがないためピースの動かない安定感を提供することができる。
【００１６】
請求項２記載の本考案は、複数個のピースが連結する装身具において、該ピース間を大リングと小リングとで交互に連結した固定ピースと、該小リングと固定ピースの外側を自在に移動するスライドピースを設け、該スライドピースは大リングと大リングの間のスライドピースの可動域を自在に移動することを要旨とするものである。
【００１７】
請求項２記載の本考案によれば、固定ピース間を大リングまたは小リングで連結することにより、スライドピースが自由に可動する範囲が、最も隣接する大リングと大リングの間のスライドピースの可動域のみとなる。このため、該固定ピースと小リングの外側をスライドピースが自在に移動するため、該スライドピースが留まっている部分の固定ピースは隠され、スライドピースに隠されていない固定ピースの部分は外部から見えることとなる。
【００１８】
このため、ネックレスを上下反対にして身に着けた場合に、スライドピースが小リングで連結した固定ピースａと固定ピースｂの外側のみを移動して、固定ピースａのみが見える場合と、固定ピースｂのみが見える場合とがあり、ａ又はｂの固定ピースのみの材質、カット、模様等の特徴を表現することができる。
これにより、一つの該コンビネーション装身具で２つ分のバリエーションを有するものとしての装飾効果を表し、さらには、スライドピースが移動する動きの変化や、移動することにより固定ピースａと固定ピースｂの外側が部分的に覆われたり現れたりする表情の変化をも楽しむことができる。
【００１９】
請求項３記載の本考案は、小リングは楕円状であることを要旨とするものである。
【００２０】
請求項３記載の本考案によれば、小リングが楕円状であるため、スライドピースがスムースに移動し装飾的変化をより一層楽しむことができる。
【００２１】
請求項４記載の本考案は、コンビネーション装身具は、ネックレス、ブレスレット等であることを要旨とするものである。
【００２２】
請求項４記載の本考案によれば、固定ピースを大リングと小リングを連結し、その外側にスライドピースを設けることにより、スライドピースが移動する装飾的変化を楽しむことができるどのような装飾品をも、簡便に製作することができる。
【考案の効果】
【００２３】
以上述べたように本考案のスライドによるコンビネーション装身具は、服装の色合い、ＴＰＯや、その日の気分に合わせて変化を楽しむことができ、複数個の装身具を有したと同様のバリエーション豊かな装飾効果をもたらすことができるものである。
【図面の簡単な説明】
【００２４】
【図１】本考案のコンビネーション装身具の１実施形態を示す正面図である。
【図２】本考案のコンビネーション装身具の１実施形態を示す正面図である。
【図３】本考案のコンビネーション装身具の１実施形態を示す部分拡大正面図である。
【図４】本考案のコンビネーション装身具の１実施形態を示す部分拡大正面図である。
【図５】本考案のコンビネーション装身具の１実施形態を示す部分拡大正面図である。
【図６】本考案のコンビネーション装身具のスライドピースを示す正面図である。
【図７】従来例の装身具用装飾体を示す説明図である。
【図８】従来例の装身具用装飾体を示す断面図である。
【図９】従来例の装身具用装飾体を示す正面図である。
【図１０】従来例の装身具用装飾体を示す正面図である。
【図１１】従来例の装身具用装飾体を示す正面図である。
【図１２】従来例のアクセサリーを示す正面図である。
【図１３】従来例のアクセサリーを示す部分拡大正面図である。
【考案を実施するための形態】
【００２５】
以下本考案を実施するための形態について説明するが、本考案はこれに限定されたものでないことは、言うまでもない。
【００２６】
以下図面について本考案のコンビネーション装身具の実施の形態を詳細に説明する。図１、図２は本考案のコンビネーション装身具の１実施形態を示す正面図、図３は本考案のコンビネーション装身具の１実施形態を示す部分拡大正面図で、図中１はコンビネーション装身具の１実施例であるネックレス２を示す。
【００２７】
本考案のコンビネーション装身具は、図１、図２に示すとおり、複数個のピースが連結するコンビネーション装身具１であるネックレス２において、固定ピース間をリングで連結することにより、ワイヤー等の中通し材を使用せずとも自由に固定ピースを連結して、自在に装身具を製作することができる。
【００２８】
また、固定ピース間を大リング６と小リング７とで交互に連結した固定ピースａ４と固定ピースｂ５と、該小リング７と固定ピースａ４と固定ピースｂ５の外側を自在に移動するスライドピース３を設ける。
【００２９】
さらに、固定ピースのみを複数個連結した部分である天部固定ピース９，９，９，９、及び、地部固定ピース１０，１０，１０，１０を設ける。これにより、該部分にはスライドピースがないため、コンビネーション装身具１であるネックレス２を身に着けた場合、該連結部分を首の後ろで固定することができ、また、スライドピース３が左右に移動することがないためピースの動かない安定感を表現することができる。
【００３０】
この効果は、本コンビネーション装身具の上下を反転させた場合も、同様に現れる。天部固定ピース９及び地部固定ピース１０の連結数は特に限定はなく、任意に設けてよい。
【００３１】
図１から図６に示すとおり、スライドピース３は大リング６と大リング６の間のスライドピースの可動域８を自在に移動するものである。
【００３２】
固定ピースａ４，固定ピースｂ５、スライドピース３には、大リング６、小リング７をつなぐための継環が左右対称に設けられている。
【００３３】
固定ピースａ４，固定ピースｂ５の形状は、スライドピース３の孔の中を動くことのできるものであればよく、球状、遊嵌筒、俵状等形状を問わない。
【００３４】
スライドピース３の中心部には、固定ピースａ４，固定ピースｂ５、小リング７が自在に移動する孔を設ける。
【００３５】
大リング６はスライドピース３の孔を通過しない大きさが必要である。これによりスライドピース３は、固定ピースａ４，固定ピースｂ５、小リング７の外側であるスライドピースの可動域８において自在に移動可能となる。
【００３６】
固定ピースａ４，固定ピースｂ５やスライドピース３の材質等に限定はなく、材質、色彩、質感、光沢感により装飾効果が高まる。たとえば、貴金属、金合金とプラチナ合金２色、チタン等、どのような素材でも使用できる。また、該ピース３、４、５にカットを施したり、ダイヤ等宝石を組み込むこともできる。
【００３７】
本コンビネーション装身具１のネックレス２の上下を反転させて身に着けることにより、固定ピースａ４，固定ピースｂ５を大リングまたは小リングで連結することにより、スライドピース３が自由に可動する範囲が、最も隣接する大リング６と大リング６の間のスライドピースの可動域８のみとなる。このため、該固定ピース４，５と小リング７の外側をスライドピース３が自在に移動するため、スライドピース３が留まっている部分の固定ピースは隠され、スライドピース３に隠されていない固定ピースの部分は外部から見えることとなる。
【００３８】
このため、ネックレスの上下を反対にして身に着けた場合に、スライドピース３が小リング７で連結した固定ピースａ４と固定ピースｂ５の外側のみを移動して、固定ピース４ａのみが見える場合と、固定ピースｂ５のみが見える場合とがあり、固定ピースａ４又は固定ピースｂ５のみの材質、カット、模様等の特徴を表現することができる。
【００３９】
これにより、一つの該コンビネーション装身具１で２つ分のバリエーションを有するものとしての装飾効果を表し、さらには、スライドピースが移動する動きの変化や、移動することにより固定ピースａと固定ピースｂの外側が部分的に覆われたり現れたりする表情の変化をも楽しむことができる。
【００４０】
本考案のコンビネーション装身具としては、ネックレス、ブレスレット等、限定はなく、幅広く装飾効果を高めた装身具として利用できる。
【産業上の利用可能性】
【００４１】
本考案のスライドによるコンビネーション装身具は、服装の色合い、ＴＰＯや、その日の気分に合わせて変化を楽しむことができ、複数個の装身具を有したと同様のバリエーション豊かな装飾効果をもたらすことができるものである
【符号の説明】
【００４２】
１      コンビネーション装身具
２      ネックレス
３      スライドピース
４      固定ピースａ
５      固定ピースｂ
６      大リング
７      小リング
８      スライドピースの可動域
９      天部固定ピース
１０    地部固定ピース
２０    装身具用装飾体
２１    内部体
２２    内部体
２３    外部体
２４    殻体
２５    殻体
２６    中通し材
３０    ネックレス
３１    細長部品
３２    色彩若しくは模様
３３    色彩若しくは模様
３４    管状部材
３５    結合部材
３６    装飾チェーン
３７    装飾チェーン
３８    スライド金具
【図１】
0003194596.tif 000003
【図２】
0003194596.tif 000004
【図３】
0003194596.tif 000005
【図４】
0003194596.tif 000006
【図５】
0003194596.tif 000007
【図６】
0003194596.tif 000008
【図７】
0003194596.tif 000009
【図８】
0003194596.tif 000010
【図９】
0003194596.tif 000011
【図１０】
0003194596.tif 000012
【図１１】
0003194596.tif 000013
【図１２】
0003194596.tif 000014
【図１３】
0003194596.tif 000015
【手続補正書】
【提出日】平成26年9月29日(2014.9.29)
【手続補正１】
【補正対象書類名】明細書
【補正対象項目名】全文
【補正方法】変更
【補正の内容】
【考案の詳細な説明】
【技術分野】
【０００１】
本考案は、スライドする装飾ピースを用いたコンビネーション装身具に関するものである。
【背景技術】
【０００２】
ネックレスやブレスレット等の装身具は、服装の色合い、ＴＰＯや、その日の気分に合わせて変化を楽しみたいものである。
【０００３】
そのため、従来は、複数の装身具をそれぞれの服等に合わせて購入しておき、バリエーションを増やす必要があった。
【０００４】
しかし、そのために通常使用しない装身具をいくつも所有することとなり、費用や保管場所が必要である等の問題があった。
【０００５】
下記特許文献１には、複数の装飾体を中通し材２６で構成することにより、形状及び、色が変化するネックレス、ブレスレット、耳飾り等の装身具において、さりげなく形状及び、色の変化が楽しめ、長年の使用にも耐え得る、趣味性を向上させた装身具用装飾体２０が開示されている。
【０００６】
具体的には、図７から図１１に示すように、中通し材２６を通したパイプ材である内部体２１と、該内部体２１と色が異なる内部体２２に、該内部体２１、２２より若干長い内部体２２と色が同色のパイプ材である外部体２３を通し、前記内部体２１、２２の両端に中通し材２６を通す貫通孔を有した前記外部体２３の内径より大きい外径の殻体２４、２５を用いて装身具用装飾体を構成し、前記殻体２４、２５にて外部体２３の抜け出しを防止することで、着用時に外部体２３が内部体２１、２２上をスライド移動することにより形状及び、色が変化するものである。
【０００７】
下記特許文献２には、装飾用アクセサリーとして、上下方向反転させることにより装飾に変化をもたらし、装飾的美観をより一層向上させることができるアクセサリーが開示されている。
【０００８】
具体的には、図１２、図１３に示すように、多数の細長部品３１を結合部材３５を介して長尺状に連結させた装飾材（ネックレス３０）であり、この装飾材（ネックレス３０）の各細長部品３１は、長さ方向における片側半分の色彩若しくは模様３２を残り半分の色彩若しくは模様３３と異なり、細長部品３１の各結合部材３５・３５間には、上記細長部品３１の長さの略半分の長さであって、細長部品３１の周面を覆う管状部材３４を、細長部品３１に沿って自重により長さ方向にスライド自在にそれぞれ遊嵌させており、これにより細長部品３１の片側半分に施した色彩若しくは模様３２と異なる色彩若しくは模様３３が一斉に表現される結果、独特の装飾的美観を呈する。
【先行技術文献】
【特許文献】
【０００９】
【特許文献１】実用新案登録第３１０１１８４号公報（「装身具用装飾体」）
【特許文献２】実用新案登録第３１０３４８３号公報（「アクセサリー」）
【考案の概要】
【考案が解決しようとする課題】
【００１０】
しかし、前記特許文献１の考案にかかる装身具用装飾体は、中通し材が必要であり、内部体、外部体、殻体を単独で連結することができず、該装身具用装飾体により簡便に装身具を製作することはできなかった。
【００１１】
また、前記特許文献２の考案にかかるアクセサリーも同様に、ワイヤー等で細長部品、管状部材、結合部材を繋ぐ必要があり、該部品や部材を単独でつなぐことができなかったため、自在に該アクセサリーを製作することはできなかった。
【課題を解決するための手段】
【００１２】
本考案者らは、上記課題を解決する為に鋭意努力した結果、上記の問題点を解決し、本考案を完成した。すなわち、本考案の要旨は、次のとおりである。
【００１３】
請求項１記載の本考案は、複数個のピースをリングで連結した固定ピースと、該固定ピースの外側を自在に移動するスライドピースを設けた装身具において、固定ピースのみを複数個連結した部分を設けたことを特徴とするスライドによるコンビネーション装身具を要旨とするものである。
【００１４】
請求項１記載の本考案によれば、固定ピース間をリングで連結することにより、ワイヤー等の中通し材を使用せずとも自由に固定ピースを連結して、自在に装身具を製作することができる。
【００１５】
さらに、固定ピースのみを複数個連結した部分を設けたことにより、該部分にはスライドピースがないため、コンビネーション装身具を身に着けた場合、該連結部分は首の後ろで固定することができ、また、スライドピースが左右に移動することがないためピースの動かない安定感を提供することができる。
【００１６】
請求項２記載の本考案は、複数個のピースが連結する装身具において、該ピース間を大リングと小リングとで交互に連結した固定ピースと、該小リングと固定ピースの外側を自在に移動するスライドピースを設け、該スライドピースは大リングと大リングの間のスライドピースの可動域を自在に移動することを要旨とするものである。
【００１７】
請求項２記載の本考案によれば、固定ピース間を大リングまたは小リングで連結することにより、スライドピースが自由に可動する範囲が、最も隣接する大リングと大リングの間のスライドピースの可動域のみとなる。このため、該固定ピースと小リングの外側をスライドピースが自在に移動するため、該スライドピースが留まっている部分の固定ピースは隠され、スライドピースに隠されていない固定ピースの部分は外部から見えることとなる。
【００１８】
このため、ネックレスを上下反対にして身に着けた場合に、スライドピースが小リングで連結した固定ピースａと固定ピースｂの外側のみを移動して、固定ピースａのみが見える場合と、固定ピースｂのみが見える場合とがあり、ａ又はｂの固定ピースのみの材質、カット、模様等の特徴を表現することができる。
これにより、一つの該コンビネーション装身具で２つ分のバリエーションを有するものとしての装飾効果を表し、さらには、スライドピースが移動する動きの変化や、移動することにより固定ピースａと固定ピースｂの外側が部分的に覆われたり現れたりする表情の変化をも楽しむことができる。
【００１９】
請求項４記載の本考案は、小リングは楕円状であることを要旨とするものである。
【００２０】
請求項４記載の本考案によれば、小リングが楕円状であるため、スライドピースがスムースに移動し装飾的変化をより一層楽しむことができる。
【００２１】
請求項５記載の本考案は、コンビネーション装身具は、ネックレス、ブレスレットであることを要旨とするものである。
【００２２】
請求項５記載の本考案によれば、固定ピースを大リングと小リングを連結し、その外側にスライドピースを設けることにより、スライドピースが移動する装飾的変化を楽しむことができるどのような装飾品をも、簡便に製作することができる。
【考案の効果】
【００２３】
以上述べたように本考案のスライドによるコンビネーション装身具は、服装の色合い、ＴＰＯや、その日の気分に合わせて変化を楽しむことができ、複数個の装身具を有したと同様のバリエーション豊かな装飾効果をもたらすことができるものである。
【図面の簡単な説明】
【００２４】
【図１】本考案のコンビネーション装身具の１実施形態を示す正面図である。
【図２】本考案のコンビネーション装身具の１実施形態を示す正面図である。
【図３】本考案のコンビネーション装身具の１実施形態を示す部分拡大正面図である。
【図４】本考案のコンビネーション装身具の１実施形態を示す部分拡大正面図である。
【図５】本考案のコンビネーション装身具の１実施形態を示す部分拡大正面図である。
【図６】本考案のコンビネーション装身具のスライドピースを示す正面図である。
【図７】従来例の装身具用装飾体を示す説明図である。
【図８】従来例の装身具用装飾体を示す断面図である。
【図９】従来例の装身具用装飾体を示す正面図である。
【図１０】従来例の装身具用装飾体を示す正面図である。
【図１１】従来例の装身具用装飾体を示す正面図である。
【図１２】従来例のアクセサリーを示す正面図である。
【図１３】従来例のアクセサリーを示す部分拡大正面図である。
【考案を実施するための形態】
【００２５】
以下本考案を実施するための形態について説明するが、本考案はこれに限定されたものでないことは、言うまでもない。
【００２６】
以下図面について本考案のコンビネーション装身具の実施の形態を詳細に説明する。図１、図２は本考案のコンビネーション装身具の１実施形態を示す正面図、図３は本考案のコンビネーション装身具の１実施形態を示す部分拡大正面図で、図中１はコンビネーション装身具の１実施例であるネックレス２を示す。
【００２７】
本考案のコンビネーション装身具は、図１、図２に示すとおり、複数個のピースが連結するコンビネーション装身具１であるネックレス２において、固定ピース間をリングで連結することにより、ワイヤー等の中通し材を使用せずとも自由に固定ピースを連結して、自在に装身具を製作することができる。
【００２８】
また、固定ピース間を大リング６と小リング７とで交互に連結した固定ピースａ４と固定ピースｂ５と、該小リング７と固定ピースａ４と固定ピースｂ５の外側を自在に移動するスライドピース３を設ける。
【００２９】
さらに、固定ピースのみを複数個連結した部分である天部固定ピース９，９，９，９、及び、地部固定ピース１０，１０，１０，１０を設ける。これにより、該部分にはスライドピースがないため、コンビネーション装身具１であるネックレス２を身に着けた場合、該連結部分を首の後ろで固定することができ、また、スライドピース３が左右に移動することがないためピースの動かない安定感を表現することができる。
【００３０】
この効果は、本コンビネーション装身具の上下を反転させた場合も、同様に現れる。天部固定ピース９及び地部固定ピース１０の連結数は特に限定はなく、任意に設けてよい。
【００３１】
図１から図６に示すとおり、スライドピース３は大リング６と大リング６の間のスライドピースの可動域８を自在に移動するものである。
【００３２】
固定ピースａ４，固定ピースｂ５、スライドピース３には、大リング６、小リング７をつなぐための継環が左右対称に設けられている。
【００３３】
固定ピースａ４，固定ピースｂ５の形状は、スライドピース３の孔の中を動くことのできるものであればよく、球状、遊嵌筒、俵状等形状を問わない。
【００３４】
スライドピース３の中心部には、固定ピースａ４，固定ピースｂ５、小リング７が自在に移動する孔を設ける。
【００３５】
大リング６はスライドピース３の孔を通過しない大きさが必要である。これによりスライドピース３は、固定ピースａ４，固定ピースｂ５、小リング７の外側であるスライドピースの可動域８において自在に移動可能となる。
【００３６】
固定ピースａ４，固定ピースｂ５やスライドピース３の材質等に限定はなく、材質、色彩、質感、光沢感により装飾効果が高まる。たとえば、貴金属、金合金とプラチナ合金２色、チタン等、どのような素材でも使用できる。また、該ピース３、４、５にカットを施したり、ダイヤ等宝石を組み込むこともできる。
【００３７】
本コンビネーション装身具１のネックレス２の上下を反転させて身に着けることにより、固定ピースａ４，固定ピースｂ５を大リングまたは小リングで連結することにより、スライドピース３が自由に可動する範囲が、最も隣接する大リング６と大リング６の間のスライドピースの可動域８のみとなる。このため、該固定ピース４，５と小リング７の外側をスライドピース３が自在に移動するため、スライドピース３が留まっている部分の固定ピースは隠され、スライドピース３に隠されていない固定ピースの部分は外部から見えることとなる。
【００３８】
このため、ネックレスの上下を反対にして身に着けた場合に、スライドピース３が小リング７で連結した固定ピースａ４と固定ピースｂ５の外側のみを移動して、固定ピース４ａのみが見える場合と、固定ピースｂ５のみが見える場合とがあり、固定ピースａ４又は固定ピースｂ５のみの材質、カット、模様等の特徴を表現することができる。
【００３９】
これにより、一つの該コンビネーション装身具１で２つ分のバリエーションを有するものとしての装飾効果を表し、さらには、スライドピースが移動する動きの変化や、移動することにより固定ピースａと固定ピースｂの外側が部分的に覆われたり現れたりする表情の変化をも楽しむことができる。
【００４０】
本考案のコンビネーション装身具としては、ネックレス、ブレスレット等、限定はなく、幅広く装飾効果を高めた装身具として利用できる。
【産業上の利用可能性】
【００４１】
本考案のスライドによるコンビネーション装身具は、服装の色合い、ＴＰＯや、その日の気分に合わせて変化を楽しむことができ、複数個の装身具を有したと同様のバリエーション豊かな装飾効果をもたらすことができるものである
【符号の説明】
【００４２】
１      コンビネーション装身具
２      ネックレス
３      スライドピース
４      固定ピースａ
５      固定ピースｂ
６      大リング
７      小リング
８      スライドピースの可動域
９      天部固定ピース
１０    地部固定ピース
２０    装身具用装飾体
２１    内部体
２２    内部体
２３    外部体
２４    殻体
２５    殻体
２６    中通し材
３０    ネックレス
３１    細長部品
３２    色彩若しくは模様
３３    色彩若しくは模様
３４    管状部材
３５    結合部材
３６    装飾チェーン
３７    装飾チェーン
３８    スライド金具
【手続補正２】
【補正対象書類名】実用新案登録請求の範囲
【補正対象項目名】全文
【補正方法】変更
【補正の内容】
【実用新案登録請求の範囲】
【請求項１】
複数個のピースをリングで連結した固定ピースと、該固定ピースの外側を自在に移動するスライドピースを設けた装身具において、固定ピースのみを複数個連結した部分を設けたことを特徴とするスライドによるコンビネーション装身具。
【請求項２】
複数個のピースが連結する装身具において、該ピース間を大リングと小リングとで交互に連結した固定ピースと、該小リングと固定ピースの外側を自在に移動するスライドピースを設け、該スライドピースは大リングと大リングの間のスライドピースの可動域を自在に移動するスライドによるコンビネーション装身具。
【請求項３】
固定ピースは複数個を連結した部分を設けた請求項２に記載のスライドによるコンビネーション装身具。
【請求項４】
小リングは楕円状である請求項２又は請求項３記載のスライドによるコンビネーション装身具。
【請求項５】
コンビネーション装身具は、ネックレス、ブレスレットである請求項２乃至４のいずれかに記載のスライドによるコンビネーション装身具。